(57)【要約】【課題】インターネット上で送受信される画像情報に添付された色に関する情報を加工し、簡単に色確認、印刷用インク作成及び、印刷性能を反映したプレビュー画面を容易に入手する。【解決手段】送信者側コンピュータから受信者側コンピュータへネットワークを介して送られた画像データに基づいて、受信者が所定の印刷方式で印刷する印刷物作成方法であって、前記ネットワーク上に情報処理サーバが接続されており、前記情報処理サーバは、送信者側コンピュータが送信した画像データに基づき、色再現のための色に関する情報を付加する機能を有し、受信者は、前記画像データと色に関する情報とに基づき、所定の印刷方式で印刷する印刷物作成方法。【特許請求の範囲】
【請求項１】
送信者側コンピュータから受信者側コンピュータへネットワークを介して送られた画像データに基づいて、受信者が所定の印刷方式で印刷する印刷物作成方法であって、
前記ネットワーク上に情報処理サーバが接続されており、前記情報処理サーバは、送信者側コンピュータが送信した画像データに基づき、色再現のための色に関する情報を付加する機能を有し、
受信者は、前記画像データと色に関する情報とに基づき、所定の印刷方式で印刷する印刷物作成方法。
【請求項２】
色再現のための色に関する情報が、ＩＣＣ（インターナショナルカラーコソーシアム）準拠のプロファイルを含む請求項１記載の印刷物印刷方法。
【請求項３】
色再現のための色に関する情報が、色見本の色名、色番号、色彩値、または分光反射率を含む請求項１または２記載の印刷物印刷方法。
【請求項４】
色再現のための色に関する情報が、色見本の色名、色番号、色彩値、または分光反射率を再現するためのインキの配合比を含む請求項１〜３いずれか記載の印刷物印刷方法。
【請求項５】
送信者側コンピュータおよび受信者側コンピュータは、ネットワークを介して前記サーバから、画像データおよび色に関する情報を受信する機能と、受信した画像データおよび色に関する情報に基づいて色変換処理を行いディスプレイ画面上に表示させる機能とを有する請求項１〜４いずれか記載の印刷物印刷方法。
【請求項６】
受信者は、さらに、送信者の指定する印刷方式のプロファイルを用いて色変換処理を行い出力するシステムを有する請求項１〜５いずれか記載の印刷物作成方法。
【請求項７】
受信者は、付加された色名または色番号に対する印刷インキの配合比を用いて印刷インキを調色し印刷する請求項６記載の印刷物作成方法。
【請求項８】
情報処理サーバが、発信者あるいは受信者からの選択指示あるいは文字入力を受け付けるためのホームページを提供するＷＷＷサーバ機能を有する請求項１〜７いずれか記載の印刷物作成方法。
【発明の詳細な説明】
【０００１】
【発明の属する技術分野】
本発明はネットワークを利用した印刷物作成方法に関し、特に、顧客やデザイン制作からの画像データをネットワークを介して受け付け、コンピュータにより色に関する情報を加工、添付し印刷サイドへ送信して印刷を行う技術に関する。
【０００２】
【従来の技術】
現在、印刷用画像データを作成する場合、スキャナ装置などを用いてコンピュータへの取り込み、あるいはデザイン用ソフトウェアを利用してディスプレイ画面上でディスプレイを見ながらあるいは、コンピュータに接続されたプリンタに出力し確認しながら作成される。作成されたデータは、プリント出力あるいはデジタルデータとして印刷サイドへ送付される。データを受け取った印刷サイドでは、プリンタ出力等の見本やデジタルデータを確認しながら、印刷物を作成する。
【０００３】
印刷対象となる画像の色の指定は、スキャナを用いる場合は、スキャナの特性としてコンピュータに取り込まれた値を用いたり、デザイン画に近い色をキーボードなどを用いて文字コードとして入力したり、あるいは作成された画像データに、市販の色見本帳を添付したりして、印刷を行うことが一般的である。
また、従来印刷会社では大量の画像データベースを構築し、再版や二次利用のため利用してきたが、画像の色情報が十分でなく、印刷条件の違いなどによる互換性がとれない、あるいはネットワーク利用によるデザイン側と印刷側でデータベースの有効活用ができない等の問題があった。
【０００４】
【発明が解決しようとする課題】
印刷会社では、クライアントもしくはデザイナ側で作成された大量の画像が印刷会社では、データベースとして蓄積されている。クライアントやデザイナに対して、このデータベース内の画像を利用してもらえれば、効率的な色情報の修正、伝達を行うことが可能である。また、印刷会社内においても複数の工場等でデータのやり取りを行い、その色情報に従った色材を準備できれば、常に安定した印刷物をクライアントに供給できる。特に、ネットワークを用いデータベースの共有化と即時修正及びその修正結果を反映した色情報の新規作成、伝達が可能であれば、クライアントと印刷会社、印刷会社内での工場間の管理や印刷物の即応性などに有効な手段となる。
【０００５】
さらに、画像データの色確認のために用いられるプリンタの色特性による違いや、印刷会社内においても印刷条件や印刷機の違いなどで異なる色で再現されるという問題もある。このため、実際の印刷結果が、意図したとおりにはならない場合も少なくない。
【０００６】
そこで本発明は、色に関する情報集であるデータベースを発信者及び受信者に有効に利用させ、画像の色情報を効率的に伝達し、ネットワークを利用し遠隔地での色確認を行うことのできるネットワーク印刷物作成方法を提供することを目的とする。
【０００７】
【課題を解決するための手段】
上記目的達成の為に、本発明の印刷物作成方法は、送信者側コンピュータから受信者側コンピュータへネットワークを介して送られた画像データに基づいて、受信者が所定の印刷方式で印刷する印刷物作成方法であって、
前記ネットワーク上に情報処理サーバが接続されており、前記情報処理サーバは、送信者側コンピュータが送信した画像データに基づき、色再現のための色に関する情報を付加する機能を有し、
受信者は、前記画像データと色に関する情報とに基づき、所定の印刷方式で印刷する印刷物作成方法に関する。
【０００８】
また、本発明は、色再現のための色に関する情報が、ＩＣＣ（インターナショナルカラーコソーシアム）準拠のプロファイルを含む上記印刷物印刷方法に関する。
【０００９】
また、本発明は、色再現のための色に関する情報が、色見本の色名、色番号、色彩値、または分光反射率を含む上記印刷物印刷方法に関する。
【００１０】
また、本発明は、色再現のための色に関する情報が、色見本の色名、色番号、色彩値、または分光反射率を再現するためのインキの配合比を含む上記印刷物印刷方法に関する。
【００１１】
また、本発明は、送信者側コンピュータおよび受信者側コンピュータは、ネットワークを介して前記サーバから、画像データおよび色に関する情報を受信する機能と、受信した画像データおよび色に関する情報に基づいて色変換処理を行いディスプレイ画面上に表示させる機能とを有する上記印刷物印刷方法に関する。
【００１２】
また、本発明は、受信者は、さらに、送信者の指定する印刷方式のプロファイルを用いて色変換処理を行い出力するシステムを有する上記印刷物作成方法に関する。
【００１３】
また、本発明は、受信者は、付加された色名または色番号に対する印刷インキの配合比を用いて印刷インキを調色し印刷する上記印刷物作成方法に関する。
【００１４】
また、本発明は、情報処理サーバが、発信者あるいは受信者からの選択指示あるいは文字入力を受け付けるためのホームページを提供するＷＷＷサーバ機能を有する上記印刷物作成方法に関する。
【００１５】
【発明の実施の形態】
以下、本発明を図示する実施形態に基づいて説明する。図１は、本発明の一実施形態に係るネットワーク印刷方法に用いる構成要素のブロック図である。発信者側コンピュータと送信者側コンピュータと情報処理サーバとは、インターネットのプロトコルでネットワーク８に接続されている。発信者は、印刷を発注するクライアントもしくはデザイン決定をするデザイナー等であり、情報処理サーバは、印刷エージェント、サーバ管理会社もしくは印刷会社に設置され、受信者は印刷会社とする。発信者はネットワーク８により情報処理サーバを介して受信者へ印刷物の画像データ及び色情報を与える。受信者は、発信者の注文や色指定に応じた印刷物の作成作業を行い、作成した印刷物を発信者に納品することになる。
【００１６】
図２は、発信者側のシステムを図示したものである。発信者側には、デザイナー等により作成されたデザイン画像をＰＤＦ（ポータブルドキュメントフォーマット）に変換したものに該デザインに色情報を添付する機能を設けたソフトウェア９とＷＷＷブラウザ１０によって構成されている。ＰＤＦ変換ソフトは市販のものをまた、ＷＷＷブラウザ１０としては、市販の汎用パーソナルコンピュータに、ＷＷＷブラウザソフトウエアをインストールした汎用システムをそのまま利用することができ、この汎用システムが発信者側コンピュータとして機能することになる。色情報を添付する機能を設けたソフトウェア９は、該画像データの色名、色番号を色見本帳１１を参照し入力したり、測色装置１２を利用して該色の色彩値、分光反射率などを入力したりあるいは，該画像データを作成した際の条件が記載されたＩＣＣ（インターナショナルカラーコソーシアム）準拠のプロファイルを指定，添付させる機能を有している。
【００１７】
図３は、発信者側からネットワークを介して送信された画像データと添付された色情報データに基づき色情報を加工，付加する色情報処理サーバを図示したものである。該サーバには、ＰＤＦ表示可能なＷＷＷブラウザ１０と添付データを処理する機能によって構成されている。具体的には、送信者側から送信された画像データに添付された色情報を読み込み、該色情報が色名や色番号の場合は該色のインキ配合割合やプロセス４色（シアン、マゼンタ、イエロー、ブラック）もしくは３色（レッド、グリーン、ブルー）の混色割合が記載された情報集より読み出し、該添付データに付加する。また、画像データに添付された色情報が色彩値、分光反射率などの場合は、該色を再現する基本処方用インキ配合比を算出し該添付データに付加する。ここで、配合比を算出する方法として市販の自動調色システムをそのまま利用することができる。添付データがＩＣＣ準拠のプロファイルの場合は、該添付プロファイルと出力用あるいは表示用プロファイルを利用して該画像データの色情報を出力用もしくは表示用に色変換を行う。表示用に変換された画像は該サーバに接続されたモニタで表示させ色確認を行うことが出来る。また出力用に変換された画像は出力装置よりプリントアウトすることで色確認を行うことが出来る。これらの機能により送信者側と色情報処理サーバ間で色情報の伝達，確認が行える。該情報処理サーバで添付，加工されたデータを有する画像データは、ネットワーク８を介して受信者へ送信される。
【００１８】
図４は、受信者側のシステムを図示したものである。受信者側には、情報処理サーバからネットワーク８を介して送信された画像データをＷＷＷブラウザ１０利用し表示する機能を有する。市販の汎用パーソナルコンピュータに、ＷＷＷブラウザソフトウエアをインストールした汎用システムをそのまま利用することができ、この汎用システムが受信者側コンピュータとして機能することになる。受信者は、まず、添付データがＩＣＣ準拠のプロファイルの場合は、該添付プロファイルと出力用あるいは表示用プロファイルを利用して該画像データの色情報を出力用もしくは表示用に色変換を行う。表示用に変換された画像は該サーバに接続されたモニタで表示させ色確認を行うことが出来る。また出力用に変換された画像は出力装置よりプリントアウトすることで色確認を行うことが出来る。これらの機能により送信者側と色情報処理サーバの相互で確認された色と同色もしくは近似の色を再現することが出来、発信者側と受信者側の間で色情報の伝達，確認が行える。
【００１９】
図５は、前記受信者側システムがインキ配合比を受ける場合を図示したものである。
添付データが色見本帳１１記載の色見本もしくは前記調色システムにより算出された基本処方用インキ配合比の場合は、それに従い基本インキを調合し、調色インキを作成する。これらの機能により送信者側と色情報処理サーバの相互で色見本帳１１を利用して確認された色と同色もしくは近似の色を再現することが出来、発信者側と受信者側の間で色情報の伝達，確認が行える。
【００２０】
本発明の特徴は、発信者側で作成された画像データに添付される色情報を情報処理サーバで自動的に読み出し、該色情報を加工、処理し元の画像データに添付し格納するとともに，受信者側へ転送することで，受信者側は該情報に従い、送信者の意図する色を再現する印刷物を作成することにある。送信者、情報処理サーバ，受信者は市販のＷＷＷブラウザを用いることで、容易に相互の色情報伝達を確認を行え、発信者すなわちクライアントもしくはデザイナの望む色が再現できる。これにより受信者側だけでなく，発信者側でもどんな印刷物が得られるかを視覚的に確認することができ、必要に応じて、印刷前の訂正が可能になる。
【００２１】
また、色見本帳１１を送信者側、受信者側の相互で利用すれば、ネットワーク８を介して商品画像などを提示する際に色番号や色名を指示するだけで、該色番号や色名に対応した色情報集が情報処理サーバに存在するので、容易にそのインキ配合比等を伝達でき、受信者側でのインキ調色作業を効率化できる。
【００２２】
【発明の効果】
以上のとおり本発明に係るネットワークを利用した印刷物作成方法および印刷物作成装置によれば、受信者側のデータベースを発信者に有効に利用させながら、注文処理を効率的に行うことができるようになる。
【図面の簡単な説明】
【図１】本発明の一実施形態に係る印刷物作成方法に用いる構成要素のブロック図である。
【図２】図１に示す発信者側のシステムの一例を示す図である。
【図３】図１に示す情報処理サーバのシステムの一例を示す図である。
【図４】図１に示す受信者側のシステムの一例を示す図である。
【図５】図１に示す受信者側のシステムの一例を示す図である。
【符号の説明】
１…発信者
２…情報処理サーバ
３…受信者
４…画像データ
５…色情報
６…画像データ
７…色情報
８…ネットワーク
９…色情報添付ソフト
１０…ＷＷＷブラウザ
１１…色見本帳
１２…測色装置
１３…色情報変換ソフト
【図１】
2004127143.tif 000002
【図２】
2004127143.tif 000003
【図３】
2004127143.tif 000004
【図４】
2004127143.tif 000005
【図５】
2004127143.tif 000006